(57)【要約】      （修正有）【課題】使用者が必要に応じてヘルメット内から保護メガネをスライドして挿脱できる保護メガネ付きヘルメットを提供する。【解決手段】使用者が必要に応じてヘルメット１１０内から保護メガネ１２０をスライドして挿脱できるように構成した保護メガネ付きヘルメット１０であり、前方にスライド結合溝が形成されたヘルメット本体１１０と、前記スライド結合溝に挿入されて前記ヘルメット本体１１０内部でスライド挿脱する保護メガネ１２０と、前記スライド結合溝内に具備され前記保護メガネ１２０を支持・案内するスライド案内部１３０と、前記保護メガネ１２０を前記スライド結合溝に沿ってスライドできるようにしたつまみ１４０と、を具備して構成したことを特徴とする。【選択図】図３
2014009426.tif 000002
【特許請求の範囲】
【請求項１】
使用者が必要に応じてヘルメット内から保護メガネをスライドして挿脱できるように構成した保護メガネ付きヘルメットであり、
前方にスライド結合溝が形成されたヘルメット本体と、
前記スライド結合溝に挿入されて前記ヘルメット本体内部でスライド挿脱する保護メガネと、
前記スライド結合溝内に具備されて前記保護メガネを支持し案内するようにしたスライド案内部と、
前記保護メガネを前記スライド結合溝に沿ってスライドできるようにしたつまみと、
を具備して構成したことを特徴とする保護メガネ付きヘルメット。
【請求項２】
前記ヘルメット本体は、前記保護メガネが挿脱される内側の部材が外側の部材と互いに異なる素材で形成されたことを特徴とする請求項１記載の保護メガネ付きヘルメット。
【請求項３】
前記保護メガネは、一方に結合孔が形成されたフレームと、当該フレーム端部に形成されたシールドから構成されていることを特徴とする請求項１又は２記載の保護メガネ付きヘルメット。
【請求項４】
前記シールドは、サングラス又は視力矯正用メガネの内から選択されたいずれか一方から成ることを特徴とする請求項１乃至３のいずれかに記載の保護メガネ付きヘルメット。
【請求項５】
前記スライド案内部は、案内孔と案内溝が形成されたフレームと、当該フレーム両端に形成された各ストッパーとから成ることを特徴とする請求項１乃至４のいずれかに記載の保護メガネ付きヘルメット。
【請求項６】
前記各フレームには、突起と凹凸がそれぞれ対応するように形成されることを特徴とする請求項３又は５記載の保護メガネ付きヘルメット。
【請求項７】
前記つまみは、前記レバーの下部に延長形成されて、末端部に形成された結合突起が前記フレームの結合孔に挿入でき、当該フレームを挟持できるようにした弾性部からなることを特徴とする請求項３記載の保護メガネ付きヘルメット。
【発明の詳細な説明】
【技術分野】
【０００１】
本発明は、保護メガネ付きヘルメットに関するものであり、詳しくは、使用者が必要に応じてヘルメット内から保護メガネをスライドして挿脱できるように構成することで、保護メガネに関して別途収納ケースを必要とせず、使用者の顔と保護メガネが離隔した状態でヘルメット内からスライド挿脱できるので、保護メガネの取り扱いの簡易性とともに、使用者の汗により視野が遮られるような現象を防止できる保護メガネ付きヘルメットに関するものである。
【背景技術】
【０００２】
一般的にインラインスケート、自転車、スクーター、登山、乗馬など多様なレジャースポーツでは使用者の頭を保護するための手段としてヘルメットを利用している。
【０００３】
このようなヘルメットは、使用者が長時間着用状態であり、活動量が多く汗をたくさん流すため、軽くて通気性が優秀である必要がある。
【０００４】
また、大部分のレジャースポーツ用ヘルメットは、バイクヘルメットとは違い顔全体を覆う方式ではなく、頭上部側のみ覆う構造をしており、目を保護するため別途保護メガネを着用している。
【０００５】
ところが、このようにヘルメットと保護メガネを別途（夫々個別に別々に）着用する場合、レジャースポーツの特性上、使用者の激しい動きによって保護メガネが離脱する問題点や、使用者の活動による汗が保護メガネに付着し使用者の視野を遮ってしまう問題があり、瞬間的に変化する環境にしたがい保護メガネを脱着する必要性がある。
【０００６】
図１及び図２に図示したように、上述した短所を補うために韓国公開実用新案第２０−２００９−００１０７８６号に開示されたヘルメットに保護メガネを取り付ける技術が考案された。
【０００７】
これを見ると、上記ヘルメット１は前面下部に曲線形態を持つ挿入溝４を形成してあり、上記挿入溝４に対応する曲面形態を持つ保護メガネ２が挿入溝と結合できるように、保護メガネ上端両側面には突起３を形成し、保護メガネの突起がヘルメットの挿入溝に挿入結合されて、保護メガネがヘルメットに対して脱着できるような構造とし、別途保護メガネを着用しなくても良い利点と、保護メガネが使用者の顔に密着して保護メガネに汗が付着する問題点が改善されたように見られる。
【０００８】
しかしながら、上述したものをはじめとする従来のヘルメットは、保護メガネがヘルメットから脱着される構造をしており、使用者の激しい動きによる外部からの衝撃が発生すると、ヘルメットから保護メガネが離脱する問題点が発生した。
【０００９】
また、ヘルメットから保護メガネを脱去する場合には、使用者は保護メガネを収納するため別途収納ケースを所持しなければならず、保護メガネ用収納ケースを別途、個別に所持する煩わしさがある。
【先行技術文献】
【特許文献】
【００１０】
【特許文献１】韓国公開実用新案第２０−２００９−００１０７８６号公報
【発明の概要】
【発明が解決しようとする課題】
【００１１】
本発明は、上記のような従来の問題点を解決するため案出されたもので、本発明の目的は、使用者が必要の都度ヘルメット内面から保護メガネをスライド挿脱できるようにすることで、保護メガネ用の別途（個別な）収納ケースを必要とせず、使用者の顔と保護メガネが離隔した状態でヘルメット内面から保護メガネをスライド挿脱するように構成したので、保護メガネの取り扱いの簡易性とともに、使用者の汗で視野が遮られる事象を防止できるようにした保護メガネ付きヘルメットを実現し提供することにある。
【００１２】
また、本発明の他の目的は、保護メガネをヘルメットから自在に交換できるような構造を持たせることで、使用者の好みに合わせて多様な保護メガネを使用できるようにする保護メガネ付きヘルメットを提供することにある。
【００１３】
更にまた、本発明の他の目的は、保護メガネを自在に脱着できるようにすることで、使用者の視力による保護メガネの交換が自在にできるだけでなく、視力の悪い使用者が、通常のメガネを着用した状態で、ヘルメットと保護メガネを着用でき、使用者の多様な使用条件に能動的に対処できるようにした保護メガネ付きヘルメットを提供することにある。
【課題を解決するための手段】
【００１４】
本発明は、前記目的を果たすために次のような構成としている。
【００１５】
本発明の保護メガネ付きヘルメットは、前方にスライド結合溝が形成され、周囲に沿って多数の通気孔が形成されたヘルメット本体と、上記スライド結合溝に挿入され、ヘルメット本体内部にスライド挿脱される保護メガネと、上記スライド結合溝内に具備され保護メガネを支持・案内するスライド案内部と、上記保護メガネに脱着できるよう結合され、保護メガネをスライド結合溝にそってスライドできるようにするつまみと、を具備している。
【００１６】
また、前記ヘルメット本体は、保護メガネが挿脱される内側の部材が、外側の部材と互いに違う素材で形成されることが望ましい。
【００１７】
そして、前記保護メガネは、一方に結合孔が形成されたフレームと、上記フレーム端部に形成されたシールドで形成されることが望ましい。
【００１８】
また、上記シールドは、サングラス又は視力矯正用メガネのうち、選択されたどちらか一方から成ることが望ましい。
【００１９】
そして、前記スライド案内部は、案内孔と案内溝が形成されたフレームと、上記フレーム両端に形成されたストッパーから成ることが望ましい。
【００２０】
また、上記フレームは、突起と凹凸がそれぞれ対応するように形成されることが望ましい。
【００２１】
そして、前記つまみは、レバーと上記レバー下部に延長形成され、末端部に形成された結合突起が、上記フレームの上記結合孔に挿入でき、上記フレームを挟持する弾性部からなることが望ましい。
【発明の効果】
【００２２】
本発明によれば、使用者が必要の都度ヘルメット内面から保護メガネをスライド挿脱することで、保護メガネ用の別途収納を要せず、使用者の顔と保護メガネが離隔した状態でヘルメット内面から保護メガネをスライド挿脱することで、保護メガネの取り扱いの簡易性とともに、使用者の汗により視野が遮られることを防止することができる。
【００２３】
また、本発明によれば、保護メガネをヘルメットから交換可能な構造を持たせることにより、使用者の好みに合った多様な保護メガネを使用できる。
【００２４】
更にまた、本発明によれば保護メガネを脱着可能にすることにより、使用者の視力に応じた保護メガネの交換が可能なだけでなく、視力の悪い使用者が通常のメガネを着用状態でも、ヘルメットと保護メガネを着用することができ、使用者の多様な使用条件に能動的に対処することができる。
【図面の簡単な説明】
【００２５】
【図１】図１は、従来のヘルメットを示す斜視図である。
【図２】図２は、図１に図示されたヘルメットを示す底面分解斜視図である。
【図３】図３は、本発明の保護メガネ付きヘルメットを示す斜視図である。
【図４】図４は、図３に図示された保護メガネ付きヘルメットを示す断面図である。
【図５】図５は、図３に図示された保護メガネ付きヘルメットの保護メガネ及びスライド案内部を示す分解斜視図である。
【図６】図６は、本発明の保護メガネ付きヘルメットの作動状態を示す作動図である。
【図７】図７は、本発明の保護メガネ付きヘルメットの作動状態を示す作動図である。
【図８】図８は、本発明の保護メガネ付きヘルメットの作動状態を示す作動図である。
【図９】図９は、本発明の保護メガネ付きヘルメットの作動状態を示す作動図である。
【図１０】図１０は、本発明の保護メガネ付きヘルメットの作動状態を示す作動図である。
【図１１】図１１は、本発明の保護メガネ付きヘルメットの作動状態を示す作動図である。
【図１２】図１２は、本発明のつまみをフレームから脱去する状態を示す部分断面図である。
【発明を実施するための形態】
【００２６】
本発明は、前記目的を達成するために、前方にスライド結合溝が形成され、周囲に沿って多数の通気孔が形成されたヘルメット本体と、上記スライド結合溝に挿入され、ヘルメット本体内部にスライド挿脱される保護メガネと、上記スライド結合溝内に具備され保護メガネを支持・案内するスライド案内部と、上記保護メガネに脱着できるよう結合され、保護メガネをスライド結合溝にそってスライドできるようにするつまみと、を具備して構成したことを特徴とする。
【実施例】
【００２７】
以下、本発明に係る保護メガネ付きヘルメットの実施例を添付図面を参考に更に詳しく説明する。
本発明の実施例は、さまざまな形態に変形できるものであり、本発明の範囲は以下に説明する実施例に限定されるものではない。
本実施例は、本発明が属する技術分野において通常の知識を持った者に対し本発明を更に詳細に説明するために提供されるものである。
【００２８】
図３に示すように、本発明に係る保護メガネ付きヘルメット１０はヘルメット本体１１０、保護メガネ１２０、スライド案内部１３０及びつまみ１４０を具備している。
【００２９】
前記ヘルメット本体１１０は、図４に示すように、周囲に沿って多数の通気孔１１１が形成されており、使用者がヘルメットを着用した時、頭側の通気が容易に成り立つようにしている。ヘルメット本体前面側には、下端側から内部に向かってヘルメットの曲面に沿ってスライド結合溝１１４が形成されている。
【００３０】
また、前記ヘルメット本体１１０は、外側部材１１２と内側部材１１３に分けて形成され、上記内側部材１１３はスライド結合溝１１４が形成された側に限定されるよう形成されている。
これは、１次的に外側部材１１２によって外部からの衝撃を吸収し使用者に伝達しないようにし、１次吸収された衝撃が内側部材１１３を通じて２次的に吸収されるようにすることで、使用者の頭に加わる衝撃を最小化するためである。
【００３１】
前記内側部材は、外側部材に比べて相対的に丈夫な素材を利用することが望ましい。これは外部衝撃によってヘルメット本体に構成される保護メガネ及びスライド案内部が損傷を受け、損傷した構成物が使用者に損傷を与えることを防止するためである。
【００３２】
前記保護メガネ１２０は、図５に図示したように曲線形態の板状に形成されるフレーム１２１と、上記フレーム１２１の一方に開口形成される結合孔１２２と、上記結合孔の他端に形成されるシールド１２４から構成されている。
【００３３】
ここで、上記結合孔１２２が形成されたフレーム１２１の両側面には、お互いに対向する方向に突き出た突起１２３を形成することが望ましい。対向する方向に突き出た突起１２３は、後述する凹凸との結束を通じて、フレームのスライドの動きに制限的を加えるためのものである。
【００３４】
また、前記保護メガネ１２０は、一定の弾性復元力を持つことが望ましい。これは弾性復元力を利用して外部衝撃による保護メガネの割れを防止するよう、自主的に一定部分の外部からの衝撃が吸収できるようにするためである。
【００３５】
前記シールド１２４は、サングラス又は視力矯正用メガネの内のいずれかで構成されるか、或いはサングラスに使用者の視力矯正に相当する度数を与えた形態であっても良い。
これは、使用者の視力が良くない場合、サングラス自体に使用者の視力に相当する度数を加え、使用者が別途メガネを着用せずとも済むようにすし、又は使用者の視力が極端に悪く、別途メガネを着用なければならない場合など、様々なケースに対応するためで、これらは使用者によって選択することができる。
【００３６】
前記スライド案内部１３０は、図５に図示したようにフレーム１３１、上記フレーム１３１両端部に形成されるストッパー１３２，１３３、ヘルメット本体にスライド案内部を固定するための結合突起１３４から構成されている。
【００３７】
また、上記フレーム１３１内側には案内孔１３５が一定の長さを持ち開口されており、上記案内孔１３５内部の長手方向の両側面には案内溝１３６が形成されている。上記案内溝１３６は、前面に位置したストッパー１３２側に延長されストッパー内部を貫通するよう形成されている。
【００３８】
前記案内溝１３６には多数の凹凸１３７が等間隔形成されており、上記突起が凹凸と結束して上述のフレーム１２１の進行に制限が加わるようになっている。
【００３９】
前記保護メガネ１２０、スライド案内部１３０は、ヘルメット本体１１０に形成されたスライド結合溝１１４の曲面形態と等しい曲面形態とすることが望ましい。これは保護メガネがスライド結合溝に沿ってスライドしてヘルメット本体に挿脱する構造のためである。
【００４０】
前記つまみ１４０は、レバー１４１と、上記レバー１４１底面下側から延長される一対の弾性部１４２と、上記弾性部１４２端部に形成された結合突起１４３から成り立ち、上記結合突起１４３には互いに対向する方向に溝１４４が形成されている。
【００４１】
例えば、当該つまみ１４０は、レバー１４１と上記レバー１４１下部から延長された末端部に形成された結合突起１４３が、上記フレーム１２１の上記結合孔１２２に挿入されて、上記フレーム１２１を狭持する弾性部１４２からなり、使用者がヘルメット本体から保護メガネをスライドできるようにし、またヘルメット本体から離脱することを防止するだけでなく、ヘルメット本体から保護メガネの脱着が容易にできるように構成している。
【００４２】
図面を参照して本発明における各部分の結合関係を説明すると、以下の通りである。
まず、ヘルメット本体１１０前面内側に保護メガネ１２０の形態と等しいスライド結合溝１１４を形成させた後、上記スライド結合溝１１４に対応する内側部材１１３を用意する。上記内側部材は前述の通り、外側部材に比べて相対的に堅い素材を利用することが望ましい。
【００４３】
次に、スライド結合溝１１４側にスライド案内部１３０位置させた状態で、スライド案内部に形成された結合突起１３４をヘルメット本体内部から外側方向に挿入し、スライド結合溝内にスライド案内部が固定されるようにする。
【００４４】
この時、上記スライド結合溝側にはヘルメット本体の内外側が互いに連通するように通気孔を形成させることが望ましい。これは保護メガネの動作によって、スライド案内部に形成された案内孔１３５を通じて外部から空気が流入できるようにするためである。
【００４５】
次に、内側部材１１３をスライド結合溝１１４側と結合させ、ヘルメット本体内側を通じて形成されたスライド結合溝を遮蔽する。この時、上記内側部材の結合は接着剤を利用するか、熱成形で外側部材と溶融結合することも可能である。
【００４６】
すなわち、前記外側部材と内側部材が互いに密着・結合できる方式なら、どのような方法でも採用可能である。
【００４７】
次に、曲面状に形成された保護メガネ１２０のフレーム１２１を、ヘルメット本体に形成されたスライド結合溝１１４に挿入して、スライド結合溝内に位置するスライド案内部に挿入して、スライド案内部に形成された案内溝１３６にフレームが位置するようにする。
【００４８】
次に、上記外側部材に形成された通気孔を通じて、つまみ１４０を保護メガネ１２０側に挿入する。
【００４９】
この後、挿入したつまみは弾性部１４２が結合孔１２２に引き入れられ、弾性部１４２端部に形成された結合突起１４３と、溝１４４が結合孔１２２内側面で結合され、つまみの操作で保護メガネがスライド案内部によりスライドする。
【００５０】
一方、上記スライド案内部と保護メガネ側には、突起と凹凸がそれぞれ対応するよう構成されており、スライド案内部に挿入された保護メガネが、つまみ操作以外の外部衝撃などにより、ヘルメット本体から外部に突き出ないようにしている。
【００５１】
以下、添付の図面を参照し、本発明の動作状態を説明する。
【００５２】
図６及び図７に示すように、前記案内溝１３６に形成された数個の凹凸１３７が、フレーム１２１に形成された突起１２３と結束された状態で、保護メガネのフレーム１２１はスライド案内部の案内溝１３６に挿入され端部が後段のストッパー１３３と密着した状態に置かれる。
【００５３】
この状態で、図８及び図９に図示したように、ヘルメット本体外部に突き出るように位置したつまみのレバー１４１を、図面上の矢印方向に加圧すると、つまみに結合された保護メガネがスライド結合溝に沿って移動する。
【００５４】
移動過程で、スライド案内部に形成された多数の凹凸によって、保護メガネが段階的に進むが、これは使用者が保護メガネを希望するだけ移動できるようにするためである。
【００５５】
すなわち、使用者がつまみを利用して保護メガネをスライドさせる時、凹凸及び突起を利用して保護メガネの段階的な進行を可能にすることで、保護メガネの位置を使用者が望む位置に調節することができ、日よけ等の機能としても使うことができる。
【００５６】
更に付け加えると、上記凹凸及び突起の結束により、保護メガネがヘルメット本体から不用意に離脱することを防止できる。
【００５７】
一方、図１０及び図１１に図示したように、つまみを継続的に進めると、保護メガネのシールドがヘルメット本体から完全に排出された状態になる。
【００５８】
この状態では、前述のようにフレーム１２１によって遮られたヘルメット本体の通気孔が開放され、外部空気が通気孔を通じて流入するため、ヘルメット内部の空気循環に役立つものとなる。
【００５９】
この時、フレーム１２１の結合孔１２２に結合された弾性部１４２は、スライド案内部前段に位置するストッパー１３２一方の端部と密着して保護メガネの進行を制限する。これにより使用者の目全体を覆う形となり、サングラスとして利用することができる。また、使用者の顔から一定の間隔を維持できるので、汗が保護メガネに付着して視野が遮られることを防止することができる。
【００６０】
特に、上記保護メガネの突起１２３とスライド案内部の凹凸１３７、及びストッパー１３２が互いに密着し支持する構造をしているため、シールドがヘルメット本体から完全に排出された状態でも、外部衝撃によってシールドがヘルメット本体内部に入ってしまうこと防止できる。
【００６１】
すなわち、使用者がつまみを操作し、保護メガネがヘルメット本体から挿脱を行うことが可能になる。
【００６２】
また、図１２で図示したように、保護メガネを交換する必要がある場合、つまみ１４０の弾性部１４２を図面上の矢印方向に加圧すると、弾性部の結合突起１４３が結合孔１２２から離脱して、つまみから保護メガネを脱去できるようになる。脱去した保護メガネは、スライド結合溝を通じてヘルメット本体外部に排出させ、他の保護メガネに交換することができる。
【００６３】
ここで、上記保護メガネは、シールドが一般的なサングラス形態や、使用者の視力度数にあったメガネに交換することが可能である。すなわち、保護メガネを使用者の好みに合わせて様々に変形して形成することで、多様な形態の適用が可能になる。
【００６４】
このように、ヘルメット本体に保護メガネをスライド方式で挿脱できるようにすることで、サングラスの作用と収納のための別途手段を準備することなく、また使用者がサングラス等を顔に直接着用した際に発生する、汗による視野の遮りを防止することができ、使用者の便宜を極大化できる。
【００６５】
本発明に係る保護メガネ付きヘルメットは、前記実施例に限定されず、多様な変形及び変更を持たせることができるとともに、インラインスケート、自転車、スクーター、登山、乗馬など多様なレジャースポーツに用いる他、工事現場用、工場内用、危険作業用等々をはじめかなり広範囲にこれを用いることができる。
【符号の説明】
【００６６】
１０  保護メガネ付きヘルメット
１１０  ヘルメット本体
１１１  通気孔
１１２  外側部材
１１３  内側部材
１１４  スライド結合溝
１２０  保護メガネ
１２１  フレーム
１２２  結合孔
１２３  突起
１２４  シールド
１３０  スライド案内部
１３１  フレーム
１３２  ストッパー
１３３  ストッパー
１３４  結合突起
１３５  案内孔
１３６  案内溝
１３７  凹凸
１４０  つまみ
１４１  レバー
１４２  弾性部
１４３  結合突起
１４４  溝
【図１】
2014009426.tif 000003
【図２】
2014009426.tif 000004
【図３】
2014009426.tif 000005
【図４】
2014009426.tif 000006
【図５】
2014009426.tif 000007
【図６】
2014009426.tif 000008
【図７】
2014009426.tif 000009
【図８】
2014009426.tif 000010
【図９】
2014009426.tif 000011
【図１０】
2014009426.tif 000012
【図１１】
2014009426.tif 000013
【図１２】
2014009426.tif 000014